(57)【要約】【課題】ゲルの室温調製が可能で、透明、かつ、高強度の安定ゲルとなり、揮発性物質の揮散バランスが良く、揮発性物質の揮散バランスが良く、揮発性物質の揮散にともなう揮散量の低下が少なく、ゲルからの離液現象やゲルのひび割れもなく、かつ温度安定性の非常に高い（−５℃〜６０℃でゲル化一切なし）透明ゲル状組成物を提供する。また、該透明ゲル状組成物からなる透明ゲル状芳香剤組成物を提供する。【解決手段】（ａ）Ｎ，Ｎ−ジメチルアクリルアミド（共）重合体架橋物、（ｂ）揮発性物質及び（ｃ）水及び／又はエタノールを含有する透明ゲル状組成物。該透明ゲル状組成物からなる透明ゲル状芳香剤組成物。【選択図】  なし【特許請求の範囲】
【請求項１】
（ａ）Ｎ，Ｎ−ジメチルアクリルアミド（共）重合体架橋物、（ｂ）揮発性物質及び（ｃ）水及び／又は水溶性溶剤を含有することを特徴とする透明ゲル状組成物。
【請求項２】
（ａ）Ｎ，Ｎ−ジメチルアクリルアミド（共）重合体架橋物０．０５〜１０質量％、（ｂ）揮発性物質０．０００１〜９０質量％及び（ｃ）水及び／又は水溶性溶剤１〜９０質量％を含有する、請求項１に記載の透明ゲル状組成物。
【請求項３】
請求項１又は２に記載の透明ゲル状組成物からなることを特徴とする透明ゲル状芳香剤組成物。
【発明の詳細な説明】
【０００１】
【発明の属する技術分野】
本発明は、ゲル状芳香剤、害虫防除剤及び貼付剤基剤などに有用な水性透明ゲル状組成物、及びそれからなる透明ゲル状芳香剤組成物に関する。
【０００２】
【従来の技術】
水性ゲル状組成物は、芳香剤、消臭・抗菌剤、食品など各方面で用いられている。例えば、水性ゲル状組成物を用いたゲル状芳香剤は、香りの蒸散性、持続性に優れ、かつ終点が視覚により確認でき、取扱いも簡単であるという利点を有している。
【０００３】
このようなゲル状芳香剤としては、例えば溶剤として水を、ゲル化剤として寒天やカラギーナンなどを用いた水性ゲルタイプの芳香剤（特公昭５５−１８１２号公報、特開昭５０−７０５３２号公報、特開昭５６−５７４５１号公報、特開平１０−２２６７４９号公報）、及び溶剤としてテルペン系炭化水素などを、ゲル化剤として金属せっけん等を用いて形成された油性ゲルタイプの芳香剤（特開昭５３−９１１４９号公報、特開昭５６−８９２６１号公報、特開昭６０−５３１４８号公報、特開昭６１−４３１０号公報）が知られているが、市販されているのは水性ゲルタイプのものが主流を占めている。
【０００４】
しかし、このような水性ゲル芳香剤は、用いるゲル化剤が天然植物由来のものであるので、製造時に加熱溶解させる工程が必要であり、それ故、基剤温度が高い状態で香料を添加することになり、例えばシトラス系の香料等を用いた場合、香料に悪影響が生じるという問題がある。
【０００５】
また、水性ゲルの場合、香料成分を均一に、かつ透明に分散させる為に界面活性剤の使用を必須とする乳化型の形式をとらざるを得ない事と、必然的に香料成分の使用量が制限される。また、高温時のゲル安定性で再び水が離水したり、透明感が損なわれたりする現象が生じやすい等の欠点も有している。
【０００６】
水性ゲルとしては、例えば、香料と水及び／又はエタノールとの混合物を主剤とする液体を、カルボキシルビニルポリマーとアルカリとの中和によりゲル化せしめてなる透明ゲル芳香剤が提案されている（特許文献１参照）。しかしながら、ゲル状芳香剤は、製造工程中にゲル化剤または香料などの成分を溶解させるため、加熱工程が必要となるが、この加熱により香料成分中の低沸点部の香料化合物が揮散し、元の香料成分とは異なる香料バランスで揮散するため、香調に好ましくない違和感が生じるという問題点がある。また、カルボキシビニルポリマーは、香料成分の吸収能力ならびに保水安定性に必ずしも満足できるものではなく、時間の経過とともに香料成分の揮散量の低下ならびに離液現象などを起こし、最終的にはゲルのひび割れが生じるなどの使用上のトラブルが発生していた。
【０００７】
そのため、香料の揮散バランスが良く、離液現象やゲルのひび割れを起こさない経時安定性に優れたゲル状芳香剤が提案されている。例えば、ゲル化剤としては、Ｎ，Ｎ−ジメチルアミノエチルメタクリレートに、Ｎ−ビニルピロリドン、ステアリルアクリレート及び架橋性モノマーを共重合したカチオン性増粘剤（特許文献２参照）、Ｎ−ビニルアセトアミド共重合体の架橋物（特許文献３参照）、ジアセトンアクリルアミド共重合変性ポリビニルアルコールを架橋剤で架橋させたもの（特許文献４参照）などを用いた透明ゲル状芳香剤が提案されている。
【０００８】
しかしながら、上記のカチオン性増粘剤を用いた場合、室温調製が可能で、調製時の加熱による香料の揮散、劣化等を回避でき、香料の揮散バランスがよく、離液現象やゲルのひび割れ等を起こさなくなる利点はあるが、芳香剤調製時にカチオン性増粘剤をリン酸などで中和する工程が必要であり、さらに香料成分を均一分散させるため界面活性剤を必須としている。そのため、ゲル芳香剤の製造工程が煩雑となる問題点がある。また、香料の揮散バランスも必ずしも満足できるレベルには至っていない。
【０００９】
また、Ｎ−ビニルアセトアミド共重合体の架橋物を用いた場合は、透明なゲル体を室温で作製可能で、ゲル中からの離液が生じない芳香剤が得られる利点があるが、Ｎ−ビニルアセトアミド共重合体を、アルミニウム、カルシウム、亜鉛等の無機酸塩などの架橋剤を用いて架橋させることが必要となるため、芳香剤の調製工程が煩雑となり製造コストアップとなる。また、架橋条件によってゲル強度やゲル透明性にばらつきが生じ易く、安定ゲルが得られにくいという問題点がある。
【００１０】
さらに、ジアセトンアクリルアミド共重合変性ポリビニルアルコールの架橋物を用いた場合は、安定な透明ゲルが得られ、香料の揮散バランスに優れる利点がある。しかし、ジアセトンアクリルアミド共重合変性ポリビニルアルコールをイオン交換水に分散させ、９０℃に加熱して連続攪拌して完全に溶解させた後、冷却したものに、界面活性剤、香料及びアジピン酸ヒドラジドなどの架橋剤を配合して混合する操作が必要となるため、芳香剤の調製工程が煩雑である。また、架橋剤で架橋させることが必要となるため、架橋条件によってゲル強度やゲル透明性にばらつきが生じ易いという問題点がある。そのため、香料の揮散バランスに劣る傾向がある。
【００１１】
【特許文献１】
特開平１−１１９２５８号公報（特許請求の範囲）
【特許文献２】
特開平９−６６０９５号公報（請求項１、段落番号００４５、００５１等）
【特許文献３】
特開２００２−８０６８１号公報（請求項１、段落番号００２８．００８１等）
【特許文献４】
特開２００３−３０２９号公報（請求項１、段落番号００２０、実施例１等）
【００１２】
【発明が解決しようとする課題】
本発明は、前記従来の問題点を解決するためになされたものであり、ゲルの室温調製が可能で、しかもポリマーの後架橋工程が不要であり、生成ゲルが透明で高強度の安定ゲルとなり、ゲル中に含まれる揮発性物質の揮散バランスが良く、揮発性物質の揮散にともなう揮散量の低下が少なく、ゲルからの離液現象やゲルのひび割れもなく、かつ温度安定性の非常に高い（−５℃〜６０℃でゲル化一切なし）透明ゲル状組成物を提供することを目的とする。
【００１３】
また、本発明は、前記の透明ゲル状組成物からなる透明ゲル状芳香剤組成物であって、香料の揮散バランスが良く徐放速度も均一であり、香料の揮散にともなう揮散量の低下が少なく、さらに、ゲル減量状態が美麗でプラスチック棒などへのゲル付着がなく、ゲルからの離液現象やゲルのひび割れのない透明ゲル状芳香剤組成物を提供することを目的とする。
【００１４】
【課題を解決するための手段】
前記課題を解決するため、本発明者らは鋭意検討した結果、Ｎ，Ｎ−ジメチルアクリルアミド（共）重合体架橋物を用いることにより、前記課題を効果的に解決しうることを見出し本発明に至った。
【００１５】
すなわち、本発明は、（ａ）Ｎ，Ｎ−ジメチルアクリルアミド（共）重合体架橋物、（ｂ）揮発性物質及び（ｃ）水及び／又は水溶性溶剤を含有することを特徴とする透明ゲル状組成物を提供するものである。該透明ゲル状組成物は、透明性、ゲル強度、揮発性物質の揮散特性などに優れているため、芳香剤をはじめ、殺虫剤、忌避剤等の害虫防除剤、貼付剤基剤などに好ましく適用することができる。
【００１６】
本発明の透明ゲル状組成物においては、（ａ）Ｎ，Ｎ−ジメチルアクリルアミド（共）重合体架橋物０．０５〜１０質量％、（ｂ）揮発性物質１〜９０質量％及び（ｃ）水及び／又は水溶性溶剤０．０００１〜９０質量％を含有することが好ましい。
【００１７】
また、本発明は、前記の透明ゲル状組成物からなることを特徴とする透明ゲル状芳香剤組成物を提供するものである。
【００１８】
【発明の実施の形態】
本発明に係る透明ゲル状組成物は、（ａ）Ｎ，Ｎ−ジメチルアクリルアミド（共）重合体架橋物、（ｂ）揮発性物質及び（ｃ）水及び／又は水溶性溶剤を含有するものである。
【００１９】
本発明で用いられる（ａ）成分のＮ，Ｎ−ジメチルアクリルアミド（共）重合体架橋物は、例えば、Ｎ，Ｎ−ジメチルアクリルアミド単量体を単独で、又は共重合可能な他の単量体との混合物を、架橋剤存在下で重合することにより製造される。架橋剤は、分子内に二重結合を２個以上有し、水溶性であり、かつ前記の単量体と共重合性が良く、効率よく架橋構造をとり、均一な架橋分布を与えるものが好ましい。このような架橋剤としては、Ｎ，Ｎ’−メチレンビス（メタ）アクリルアミド、エチレングリコールジ（メタ）アクリレート、ジエチレングリコールジ（メタ）アクリレート、ポリエチレングリコールジ（メタ）アクリレート、プロピレングリコールジ（メタ）アクリレート、ポリプロピレングリコールジ（メタ）アクリレート、グリセリントリ（メタ）アクリレート等を挙げることができるが、特にＮ，Ｎ’−メチレンビスアクリルアミドが好ましい。架橋剤量は特に限定はなく、架橋剤の種類やポリマーの用途などに応じて適宜決定されるが、一般に架橋剤量が多いと水に対する膨潤性が小さくなり、少ないと膨潤したゲルの強度が低下することは広く知られている。架橋剤量は単量体量に対して０．００１〜５質量％程度であり、好ましくは０．０１〜１質量％である。
【００２０】
本発明のゲル状組成物において、（ａ）Ｎ，Ｎ−ジメチルアクリルアミド（共）重合体架橋物の配合量は、ゲル状組成物の種類あるいは利用形態に応じて適宜に選択することができるが、一般的にはゲル状組成物の全体量に対して、０．０５〜１０質量％、好ましくは１〜８質量％、特に好ましくは２〜７質量％配合される。０．０５質量％未満ではゲル強度が弱く、安定なゲルが得られ難くなり、１０質量％を超えると、堅いゲルとなり香料などの揮発性物質が揮散し難くなり、またコストアップに繋がるため好ましくない。
【００２１】
本発明で用いられる（ｂ）成分の揮発性物質としては、香料、消臭剤、防虫剤、忌避剤、誘引剤、殺虫剤、殺菌剤、薫蒸剤など、従来より用いられている防虫、殺虫、忌避、殺ダニ等の害虫防除剤、或いは芳香、消臭、除菌、殺菌、防黴、有害動物忌避等に用いられている各種薬剤が挙げられる。これらの揮発性物質は単独で使用しても良いし、２種類以上を適宜組み合わせて使用しても良い。その具体例としては、次の物が例示できる。
【００２２】
香料としては、例えば、オレンジ、レモン、ライム、グレープフルーツなどの柑橘類精油；ローズ、ジャスミンなどの花精油；リモネン、α−ピネン、β−ピネンなどの炭化水素類；リナロール、シトロネロール、ゲラニオール、ベンジルアルコール、β−フェニルエチルアルコールなどの水溶性溶剤及びこれらアルコールのエステル類；ハーブ系精油類；エキス類；メントール、カンフル、リモネン、リナロール等のテルペノイド化合物；その他、調合香料素材として従来から用いられてきた炭化水素系、テルペン系、アルコール系、アルデヒド系、ケトン系、エステル系、フェノール系、ラクトン系、オキシド系の動物性、植物性の天然及び合成香料とそれらの混合物である調合香料等を挙げることができる。
【００２３】
消臭剤としては、シトロネラ油、レモングラス油、ボルニルアセテート、安息香酸メチル、安息香酸エチル、フェニル酢酸エチル等を挙げることができる。
【００２４】
害虫防除剤としては、アレスリン、ｄｌ・ｄ−Ｔ８０−アレスリン、ｄｌ・ｄ−Ｔ−アレスリン、ｄ・ｄ−Ｔアレスリン、ｄ・ｄ−Ｔ８０−プラレトリン、レスメトリン、ｄｌ・ｄ−Ｔ８０−レスメトリン、エンペントリン、テラレスリン、トランスフルスリン、フタルスリン、ｄｌ・ｄ−Ｔ８０−フタルスリン、フラメトリン、ペルメトリン、フェノトリン、イミプロスリン、シペルメトリン、エトフェンプロテックス、テフルスリン、フェンフルスリン等のピレスロイド系殺虫剤；ピリプロキシフェン、メトプレン、ハイドロプレン、フェノキシカルプ等害虫成長制御剤；ディート、ジメチルフタレート、ジブチルフタレート、２−エチル−１、３−ヘキサンジオール、ｐ−ジクロルベンゼン、カプリン酸ジエチルアミド、カンファー等害虫忌避剤；アニス油、オレンジ油、カシア油、グレープフルーツ油、シソ油、クローブ油、シトロネラ油、シナモン油、ハッカ油、ヒバ油、ヒノキ油、ペパーミント油、ユーカリ油、レモングラス油、ゼラニウム油、フェンネル油等の機能性天然精油などを挙げることができる。
【００２５】
本発明のゲル状組成物において、（ｂ）揮発性物質の配合量は、ゲル状組成物の種類あるいは利用形態に応じて適宜に選択することができるが、ゲル状組成物の全体量に対して、０．０００１〜９０質量％程度配合することができる。したがって、本発明のゲル状組成物は、芳香剤、害虫防除剤、貼付剤などの各種用途に幅広く利用することができる。例えば、揮発性物質として香料を配合した本発明のゲル状芳香剤組成物の場合、揮発性物質である香料の配合量は、ゲル状組成物の全体量に対して、０．１〜４０質量％、好ましくは０．５〜３０質量％である。０．１質量％未満では香料成分の揮散は殆んど認められず、芳香剤としての効果は得られなくなり、４０質量％を超えると、香料成分が過度に揮散して強すぎる芳香となるため、好まれない場合がある。
【００２６】
本発明で用いられる（ｃ）成分の水溶性溶剤としては、エタノール、グリセリン、プロピレングリコール、ジプロピレングリコール、ソルフィット（３−メチル−３−メトキシ−１−ブタノール）、エチルセロソルブ、エチルカルビトール、ベンジルアルコール等を挙げることができる。水及び水溶性溶剤は、上記のＮ，Ｎ−ジメチルアクリルアミド（共）重合体架橋物をゲル化させることができ、該ゲル中に香料を均一に含ませることができる量であればよく、ゲル状組成物の種類あるいは利用形態に応じて適宜に選択することができる。一般的には、水及び／又は水溶性溶剤の配合量は、ゲル状組成物の全体量に対して、１〜９０質量％である。１質量％未満ではゲルが形成され難くなり、９０質量％を超えるとゲル強度が弱くなる。水及び水溶性溶剤は単独で使用しても良いし、任意の割合で組み合わせて使用することもできる。
【００２７】
本発明のゲル状組成物は、優れた透明性、美麗性、香料揮散性ゆえに、ゲル状芳香剤に好適である。ゲル状芳香剤組成物を調製する場合は、水及び／又は水溶性溶剤の配合量は、好ましくは２０〜９０質量％、特に好ましくは５０〜９０質量％とすることが望ましい。ゲル調製時には、水及び／又はエタノールを必須成分とし、これにグリセリン、プロピレングリコール、ジプロピレングリコール、ソルフィット（３−メチル−３−メトキシ−１−ブタノール）、エチルセロソルブ、エチルカルビトール、ベンジルアルコール等の水溶性溶剤を併用することが好ましい。
【００２８】
水及び／又はエタノールは、一般的にはゲル状芳香剤組成物の全体量に対して１〜７０質量％、好ましくは１０〜７０質量％、特に好ましくは５０〜７０質量％配合される。１質量％未満では香料成分が均一に分散されにくくなり、揮散バランスが崩れやすくなり、７０質量％を超えると満足できるゲル状態とはならなくなる。
【００２９】
また、エタノール以外の水溶性溶剤は、一般的にはゲル状芳香剤組成物の全体量に対して１〜７０質量％、好ましくは１０〜５０質量％、特に好ましくは２０〜４０質量％配合される。１質量％未満では香料成分が均一に分散されにくくなり、揮散バランスが崩れやすくなり、７０質量％を超えると満足できるゲル状態とはならなくなる。水溶性溶剤は単独で使用しても良いし、２種以上組み合わせて使用することもできる。
【００３０】
本発明のゲル状組成物からなる透明ゲル状芳香剤組成物には、上記の（ａ）成分、（ｂ）成分及び（ｃ）成分以外に、これらの成分に加えて、更に、その他の高分子、増粘剤、界面活性剤、消臭剤、色素、水溶性溶剤、酸化防止剤、紫外線吸収剤、防腐剤、抗菌剤等を含有させることができる。
【００３１】
前記の界面活性剤としては、例えば、ポリオキシエチレンアルキルエーテル類、ポリオキシエチレン脂肪酸エステル類、ポリオキシエチレンポリオキシプロピレン共重合体類、ポリオキシエチレンソルビタン脂肪酸エステル類、ソルビタン脂肪酸エステル類、ショ糖脂肪酸エステル類及びこれらの任意の混合物等を挙げることができる。一般に界面活性剤は、ゲルの透明性を向上させるために配合するが、本発明において界面活性剤の配合は必ずしも必要ではなく、界面活性剤不存在下においても透明ゲルを得ることができる。
【００３２】
本発明のゲル状組成物ならびにゲル状芳香剤組成物は、例えば、次のような操作によって製造することができる。すなわち、上記のＮ，Ｎ−ジメチルアクリルアミド（共）重合体架橋物に、所定量の水及び／又はエタノール、香料などの揮発性物質、さらに必要に応じて水溶性溶剤などを添加し、室温で０．１時間から２４時間程度、静置または攪拌条件で接触させることによって製造することができる。
【００３３】
本発明のゲル状組成物は、家庭内、乗物内、事務所内、倉庫内などで、芳香剤として好適に使用できる他、消臭剤、除菌剤、殺菌剤、防虫剤、防黴剤、忌避剤、誘引剤、殺虫剤、殺菌剤、薫蒸剤、殺ダニ剤、貼付剤、外用剤等に使用することができるが、これらに限定されない。また、商品価値を高めるために、必要に応じて着色することもできる。
【００３４】
【実施例】
以下、実施例及び比較例を用いて本発明を更に具体的に説明するが、本発明は以下の実施例のみに限定されるものではない。
【００３５】
（実施例１）
ポリマーのゲル化特性を調べるために、Ｎ，Ｎ−ジメチルアクリルアミド共重合体のＮ，Ｎ’−メチレンビスアクリルアミド架橋物（株式会社興人製、ＤＭゲル、以下「ＤＭＡＡ」）の白色粉末５ｇに、表１に示す各種化合物９５ｇを添加して２５℃で攪拌した後、同条件下で１時間静置したときのゲル化特性（ゲル状態）を観察した。ゲル化特性の評価基準は、◎：ゲル外観が極めて良好、○：良好、×：不良、とした。
【００３６】
【表１】
2005008832.tif 000002
【００３７】
ソルフィット：３−メチル−３−メトキシ−１−ブタノール
アイソパーＨ：合成イソパラフィン系炭化水素
ＮＡＳ−３：イソパラフィン系炭化水素油
【００３８】
表１の結果から、本発明のゲル状組成物は、ポリマー（ＤＭＡＡ）、香料、及び水あるいは各種溶剤との組合わせにより得られることがわかる。
【００３９】
（実施例２〜１０）
表２の処方により芳香剤を調製した。調製方法は、Ｎ，Ｎ−ジメチルアクリルアミド共重合体のＮ，Ｎ’−メチレンビスアクリルアミド架橋物（株式会社興人製、ＤＭゲル、以下「ＤＭＡＡ」と省略する）、香料、ソルフィット、エタノール及び水を所定量配合し、温度２５℃で攪拌した後、同条件下で１時間静置した。ゲルの形成状態及びゲル外観を以下の基準で評価した。その結果を表２に示す。
【００４０】
（ゲル形成性の評価基準）
○：全体が均一ゲルとなりゲルからの液分離がない
△：ゲルになるがゲルからの液分離がある
×：ゲルにならない
【００４１】
（ゲル外観の評価基準）
◎：完全透明、○：透明、△：やや曇りあり
【００４２】
【表２】
2005008832.tif 000003
【００４３】
表２の結果から、ポリマー（ＤＭＡＡ）濃度を高くすることにより、液分離のない良好なゲルが得られるとともに、水溶性溶剤及びエタノールを比較的多量に用いて調製したゲルは透明性が優れていることがわかる。
【００４４】
（比較例１）
表４に示す処方にて、カラギーナンを用いた水性ゲルを調製した。
【００４５】
（実施例１１〜１５）
上記のゲル形成性試験において、ゲル形成性及びゲルの透明性に優れていた実施例８をベースとして、Ｎ，Ｎ−ジメチルアクリルアミド共重合体のＮ，Ｎ’−メチレンビスアクリルアミド架橋物（株式会社興人製、ＤＭゲル、以下「ＤＭＡＡ」）及び香料を一定量使用し、そのほかの成分であるソルフィット、エタノール及び水の添加量を変化させて、種々のゲル状芳香剤を調製した。調製した芳香剤について、長期間に亘る香気の持続性（揮散性）と、ゲルの状態の保形性、ゲルのだれ、水のしみだし（液分離）を評価した。その結果を表３に示す。なお、香気の持続性及びゲルの安定性は以下の方法で試験した。
【００４６】
（香気の持続性、ゲルの安定性の試験方法）
ゲル５０ｇをポリプロピレン製の入口口径５０ｍｍ、底部口径４５ｍｍ、高さ５０ｍｍの円筒形容器に入れ、２０〜２５℃に保たれた室内に全開放した状態にて設置し、スタート時のゲル重量を測定しておき、その後１日おきにサンプルの重量を測定し、６０日間測定を継続する。経日によるゲルの揮散量を図１に表わす。又、ゲルの安定性については目視にて判定し、香気の持続性に関しては、経日の都度未開封のサンプルとの比較にて判定を行った。
【００４７】
【表３】
2005008832.tif 000004
【００４８】
図１の結果から、本発明の芳香剤は、長期間に亘って香気がバランスよく揮散し、且つその持続性に優れていることがわかる。また、表３の結果から、本発明の芳香剤は、香気が揮散した後もゲルの透明性が維持され、且つその保形性に優れ、ゲルのだれ、水のしみだし、ゲルの割れもなく、香気の持続性に優れていることがわかる。
【００４９】
（温度変化と外観安定性）
実施例８で作製したゲル及び比較例１の水性ゲルに関して、−５℃〜＋６０℃におけるゲル外観を目視にて以下の基準で判定した。その結果を表４に示す。
【００５０】
（温度安定性の評価基準）
◎：極めて良好、○：良好、△：やや不安定、×：不安定
【００５１】
【表４】
2005008832.tif 000005
【００５２】
表４の結果から、本発明のゲル状組成物（ゲル状芳香剤組成物）は、温度安定性が高く、寒冷地から温帯地域まで使用可能であるのに対し、比較例１のゲル状組成物は温度安定性が不良であることがわかる。
【００５３】
（実施例１６）
水含有溶剤系におけるゲル形成性に及ぼす香料濃度の影響を試験した。すなわち、表５の処方により芳香剤を調製した。調製方法は、Ｎ，Ｎ−ジメチルアクリルアミド共重合体のＮ，Ｎ’−メチレンビスアクリルアミド架橋物（株式会社興人製、ＤＭゲル、以下「ＤＭＡＡ」）、香料、ソルフィット、エタノール及び水を所定量配合し、実施例１１〜１５と同様にして、ゲルの形成状態を評価した。その結果を表５に示す。
【００５４】
【表５】
2005008832.tif 000006
【００５５】
（実施例１７）
水を含まない溶剤系におけるゲル形成性に及ぼす香料濃度の影響を試験した。すなわち、表６の処方により芳香剤を調製した。調製方法は、Ｎ，Ｎ−ジメチルアクリルアミド共重合体のＮ，Ｎ’−メチレンビスアクリルアミド架橋物（株式会社興人製、ＤＭゲル、以下「ＤＭＡＡ」）、香料、ソルフィット、エタノール及び水を所定量配合し、実施例１１〜１５と同様にして、ゲルの形成状態を評価した。その結果を表６に示す。
【００５６】
【表６】
2005008832.tif 000007
【００５７】
表５及び表６の結果から、水と水溶性溶剤の混合物を使用した場合は、香料濃度の選択によってゲル形成性が不良となる場合があるが、水溶性溶剤のみを使用した場合は、香料濃度に拠らずにゲル形成性が良好であることがわかる。
【００５８】
【発明の効果】
以上説明した通り、本発明によれば、ゲル化剤にＮ，Ｎ−ジメチルアクリルアミド（共）重合体架橋物を使用することにより、透明、高強度で、揮発性物質の揮散バランスが良好で、揮発性物質の揮散にともなう揮散量の低下が少なく、ゲルからの離液現象やゲルのひび割れのないゲル組成物を得ることができる。さらに、本発明の透明ゲル状組成物は、ゲル調製時に架橋剤を配合する必要がなく、室温で容易にゲル調製ができるため、ゲル調製時の揮発性物質の揮散、劣化等の不都合を回避することができる。
【００５９】
また、本発明によれば、ゲル化剤にＮ，Ｎ−ジメチルアクリルアミド（共）重合体架橋物を使用することにより、透明、高強度で、香料の揮散バランスが良く徐放が平均化され、しかも、ゲル減量状態が美麗でプラスチック棒などへのゲル付着がなく、ゲルからの離液現象やゲルのひび割れのない透明ゲル状芳香剤組成物を得ることができる。更に、本発明の透明ゲル状芳香剤組成物は、ゲル調製時に架橋剤を配合する必要がなく、室温で容易にゲル調製ができるため、ゲル調製時の香料の揮散、劣化等の不都合を回避することができる。
【図面の簡単な説明】
【図１】本発明による透明ゲル状芳香剤組成物の香料揮散速度を示すグラフ図である。
【図１】
2005008832.tif 000008